(57)【要約】【課題】先に張られた一方のガットに負担を掛けずにスムーズに他方のガットを交互に交差させることができるラケットのガット張り支援装置を提供する。【解決手段】ガット張り支援装置１０は、ラケットに張られた縦糸であるガットＧに交差させる横糸となる案内用糸Ｓ１を、ガットＧの上下に交互に交差させることを支援するものである。ガット張り支援装置１０は、案内用糸Ｓ１が接続され、第１磁石２１により形成された編み部２０と、第１磁石３１が吸着する第２磁石３１がラケットのフェース面側に配置され、案内用糸Ｓ１が張られる方向へ操作される操作部３０とを備えている。第１磁石２１を第２磁石３１に吸着した状態で操作部３０を進行させれば、第１磁石２１が、一旦、第２磁石３１から離れるが、互いに引き合い第１磁石２１を第２磁石３１に吸着させることができるので、案内用糸Ｓ１をガットＧの上下に交互に交差させることができる。【選択図】図２
2019037524.tif 000002
【特許請求の範囲】
【請求項１】
ラケットに張られた一方のガットに交差させる他方のガットを、前記一方のガットの上下に交互に交差させることを支援するラケットのガット張り支援装置において、
前記他方のガットが直接的または間接的に接続され、第１磁石により形成された編み部と、
前記第１磁石が吸着する第２磁石が前記ラケットのフェース面側に配置され、前記他方のガットが張られる方向へ操作される操作部とを備えたラケットのガット張り支援装置。
【請求項２】
前記操作部は、前記一方のガットを検知するためのセンサ部と、前記第２磁石を、前記操作部内に格納した位置と前記操作部内から露出させる位置とに進退させる昇降部と、前記センサ部が、前記一方のガットを検知したときに、前記昇降部へ、前記第２磁石の進退を交互に指示する制御部とを備えた請求項１記載のラケットのガット張り支援装置。
【請求項３】
前記操作部は、前記一方のガットを検知するためのセンサ部と、前記第２磁石を、前記操作部内に格納した位置と前記操作部内から露出させる位置とに進退させる昇降部と、前記第１磁石と前記第２磁石とが離間した状態から吸着した状態になったことを検知すると前記第２磁石を前記操作部に引き込むよう前記昇降部へ指示し、前記センサ部が、前記一方のガットを検知すると前記第２磁石を元の位置に復帰するよう前記昇降部へ指示する制御部とを備えた請求項１記載のラケットのガット張り支援装置。
【請求項４】
前記昇降部は、前記第２磁石が先端に接続されたプランジャー部と、前記プランジャー部を進退させるソレノイド部とを備えたアクチュエータソレノイドにより形成された請求項２記載のラケットのガット張り支援装置。
【請求項５】
前記第１磁石は、前記操作部の進行方向側の面が円弧面に形成された請求項１から３のいずれかの項に記載のラケットのガット張り支援装置。
【請求項６】
前記編み部には、前記編み部に一端が接続され、他端が前記他方のガットに接続され、前記一方のガットより細く形成され、前記他方のガットを案内する案内用糸が接続された請求項１から４のいずれかの項に記載のラケットのガット張り支援装置。
【発明の詳細な説明】
【技術分野】
【０００１】
本発明は、ラケットの一方のガットを張った後に交差する他方のガットを張ることを支援するラケットのガット張り支援装置に関するものである。
【背景技術】
【０００２】
ラケットのガットは、一般的には先にメインと称される縦糸が張られ、次にクロスと称される横糸を交差させるが、このとき、横糸は、縦糸の上方と下方とを交互に通しながら張られる。
最初に強く張られた縦糸の上下に、横糸を交互に通すことは面倒である。このような横糸を縦糸に対してスムーズに張るものとして特許文献１，２に記載の従来のラケットのガット張り支援装置が知られている。
【０００３】
特許文献１には、ラケットのフレーム打球部に予め張設されたガット縦糸を挿通挟持する一対の分割体からなり、分割体の各々のガット挿通孔をガット張設方向に交互に拡開するテーパ状に形成すると共に、分割体の正逆軸回動により各々のガット縦糸を交互に浮動させるラケットのガット張設装置が記載されている。
【０００４】
特許文献２には、ラケットフレームを装着してその縦軸ならびに横軸方向に押圧変形させる押圧具と、ラケットフレーム枠内の横軸方向に互いに密接して一列に配列され、枠ハドルの揺動により縦ガットを交互に上下動する昇降扞、昇降扞の両端任意本数はラケットフレームの下面以下に降下させるように係脱自在とし、最終段の送りが完了したときに送り装置の係合を断つようにしたラケットのガット張り装置が記載されている。
【先行技術文献】
【特許文献】
【０００５】
【特許文献１】特開昭５９−２８９７７号公報
【特許文献２】特公昭４３−２３４０３号公報
【発明の概要】
【発明が解決しようとする課題】
【０００６】
上述したように、手操作により、縦糸が張られたラケットに横糸を張ることは面倒であり、多大な時間が掛かってしまう。
特許文献１，２に記載の従来のラケットのガット張り支援装置は、縦糸を押し上げたり、押し下げたりして、横糸を通すための直線状の隙間を作っている。
しかし、この従来のガット張り支援装置を用いて、強く張られた縦糸を押し上げたり、押し下げたりするにはかなり強い力が必要である。従って、機械的に縦糸を上下させると、縦糸に強く力が加わり、縦糸に損傷を及ぼすおそれがある。
【０００７】
そこで本発明は、先に張られた一方のガットに負担を掛けずにスムーズに他方のガットを交互に交差させることができるラケットのガット張り支援装置を提供することを目的とする。
【課題を解決するための手段】
【０００８】
本発明は、ラケットに張られた一方のガットに交差させる他方のガットを、前記一方のガットの上下に交互に交差させることを支援するラケットのガット張り支援装置において、前記他方のガットが直接的または間接的に接続され、第１磁石により形成された編み部と、前記第１磁石が吸着する第２磁石が前記ラケットのフェース面側に配置され、前記他方のガットが張られる方向へ操作される操作部とを備えたことを特徴とする。
【０００９】
本発明によれば、他方のガットが直接的または間接的に接続された編み部の第１磁石を、操作部の第２磁石に吸着した状態で、一方のガットの上方を通過させれば、一方のガットの上側に他方のガットを通すことができる。また、他方のガットが接続された編み部の第１磁石を、操作部の第２磁石に吸着した状態で、第１の磁石を一方のガットに押し当てるようにして操作部を進行させれば、編み部の第１磁石は、一方のガットに押され、一旦、操作部の第２磁石から離れるが、第１磁石と第２磁石とが引き合い、他方のガットが一方のガットの下方を通過した後に、操作部の第２磁石に編み部の第１磁石を吸着させることができる。
従って、このような操作を繰り返すことで、一方のガットを移動させることなく、一方のガットの上方および下方を交互に、他方のガットを通すことができる。
【００１０】
前記操作部は、前記一方のガットを検知するためのセンサ部と、前記第２磁石を、前記操作部内に格納した位置と前記操作部内から露出させる位置とに進退させる昇降部と、前記センサ部が、前記一方のガットを検知したときに、前記昇降部へ、前記第２磁石の進退を交互に指示する制御部とを備えることができる。
【００１１】
センサ部が一方のガットを検出したときに、制御部が、昇降部に第２磁石の進退を交互に指示する。昇降部は、第２磁石を、操作部内に格納した位置と、操作部内から露出させる位置とに進退させる。
従って、制御部は、昇降部に、第２磁石を操作部内に格納した位置に指示したときには、一方のガットの上方に他方のガットを通すことができ、昇降部に、操作部内に格納した第２磁石を露出させる位置に指示したときには、一方のガットの下方に他方のガットを通すことができる。
【００１２】
前記操作部は、前記一方のガットを検知するためのセンサ部と、前記第２磁石を、前記操作部内に格納した位置と前記操作部内から露出させる位置とに進退させる昇降部と、前記第１磁石と前記第２磁石とが離間した状態から吸着した状態になったことが検知されると、前記第２磁石を前記操作部に引き込むよう前記昇降部へ指示し、前記センサ部が、前記一方のガットを検知したときに、前記第２磁石を元の位置に復帰するよう前記昇降部へ指示する制御部とを備えることができる。
制御部が、第１磁石と第２磁石とが離間した状態で第１磁石が一方のガットの下方を通過して第１磁石と第２磁石とが再び吸着した状態となったことを検知すると、第２磁石を操作部に引き込むよう昇降部へ指示する。第２磁石が操作部内に引き込まれた状態で、操作部が進行することで、第２磁石に吸着した第１磁石を、一方のガットの上方に通過させることができる。
【００１３】
前記昇降部は、前記第２磁石が先端に接続されたプランジャー部と、前記プランジャー部を進退させるソレノイド部とを備えたアクチュエータソレノイドにより形成されたものとすることができる。
昇降部をアクチュエータソレノイドとすることで、制御部からの指示により、第２磁石を、操作部内に格納した位置と、操作部内から露出させる位置とに進退させることができる。
従って、操作部を進行方向に進めるだけで、自動的に一方のガットに他方のガットを、上下交互に通すことができる。
【００１４】
前記第１磁石は、前記操作部の進行方向側の面が円弧面に形成されていることで、第１磁石を一方のガットに押し当てたときに、第１磁石の円弧面に沿って一方のガットが第１磁石と第２磁石との間に入り込み、第１磁石を一方のガットに乗り上げさせることができる。従って、第１磁石を第２磁石からスムーズに引き離すことができ、第１磁石を一方のガットに乗り越えさせることができる。
【００１５】
前記編み部には、前記編み部に一端が接続され、他端が前記他方のガットに接続され、前記一方のガットより細く形成され、前記他方のガットを案内する案内用糸が接続されたていることが望ましい。
編み部に直接的に他方のガットが接続され、一方のガットの上下に交互に他方のガットを交差させると、一方のガットと他方のガットとが摩擦により進行し難くなる。
編み部に一方のガットより細く形成された案内用糸が接続されていると、案内用糸を一方のガットの間をスムーズに通すことができるので、案内用糸に繋がる他方のガットを確実に通すことができる。
【発明の効果】
【００１６】
本発明のラケットのガット張り支援装置によれば、第１磁石を第２磁石に吸着させたまま、一方のガットの上方に他方のガットを通し、第１磁石を一旦、第２磁石から離して、一方のガットの下方に他方のガットを通すことで、一方のガットを無理やり上下に移動することなく、他方のガットを通すことができる。
従って、本発明のラケットのガット張り支援装置は、先に張られた一方のガットに負担を掛けずにスムーズに他方のガットを交互に交差させることができる。
【図面の簡単な説明】
【００１７】
【図１】本発明の実施の形態１に係るラケットのガット張り支援装置を示す図である。
【図２】図１に示すラケットのガット張り支援装置の使用状態を説明するための図であり、（Ａ）から（Ｄ）は縦糸に横糸を交互に交差させることを説明するための図である。
【図３】本発明の実施の形態２に係るラケットのガット張り支援装置を示す図である。
【図４】図３に示すラケットのガット張り支援装置の制御部の動作を説明するためのフローチャートである。
【図５】図３に示すラケットのガット張り支援装置の使用状態を説明するための図であり、（Ａ）から（Ｄ）は縦糸に横糸を交互に交差させることを説明するための図である。
【図６】本発明の実施の形態３に係るラケットのガット張り支援装置を示す図である。
【図７】図６に示すラケットのガット張り支援装置の制御部の動作を説明するためのフローチャートである。
【発明を実施するための形態】
【００１８】
（実施の形態１）
本発明の実施の形態１に係るラケットのガット張り支援装置を図面に基づいて説明する。図１に示すラケットのガット張り支援装置１０は、編み部２０と、操作部３０とを備えている。
【００１９】
編み部２０は、第１磁石２１により形成されている。編み部２０には、縦糸となるガット（図示せず）の間に横糸となるガット（図示せず）を案内する案内用糸Ｓ１の一端側を接続するための穴またはＵ字状の突起が形成されている。案内用糸Ｓ１は、縦糸より細く形成されている。また、案内用糸Ｓ１の他端側には、横糸が接続されている。
第１磁石２１は、横糸が接続される側と反対となる側の面が円弧面に形成されている。本実施の形態１では、第１磁石２１は縦糸となるガットより直径が大きい球状に形成されている。
【００２０】
操作部３０は、第１磁石２１が吸着する第２磁石３１を有している。この第２磁石３１は、直方体状の筐体３２の底面（ラケットのフェース面側）に配置されている。第２磁石３１は、第１磁石２１が吸着しやすいように板状としているが、他の形状としてもよい。
【００２１】
以上のように構成された本発明の実施の形態１に係るラケットのガット張り支援装置１０の使用状態について、図面に基づいて説明する。
まず、ラケットには、一方のガットが張られているものとする。一般的には、メインと称される縦糸が先に張られ、クロスと称される横糸が後に張られるため、この場合、一方のガットは、ラケットのシャフトに沿った方向に張られる縦糸となる。
従って、図２（Ａ）から同図（Ｄ）に示す断面円形状のガットＧは縦糸を示している。そして、編み部２０には、案内用糸Ｓ１を介在させることで、間接的に横糸となるガット（図示せず）が接続されている。
【００２２】
図２（Ａ）に示すように、まず、編み部２０に案内用糸Ｓ１が接続され、編み部２０が操作部３０の第２磁石３１に吸着した状態で、進行方向Ｆへ操作部３０を進めることで操作部３０をガットＧに接近させる。
図２（Ｂ）に示すように、操作部３０がガットＧに接近すると、作業者は、まず操作部３０を引き上げることで、操作部３０に吸着した編み部２０に接続された案内用糸Ｓ１がガットＧの上方を通過する。
【００２３】
図２（Ｃ）に示すように、操作部３０が次のガットＧに接近すると、作業者は、操作部３０を下げて、操作部３０に吸着した編み部２０をガットＧに押し付ける。そして、その状態のまま、操作部３０を進行方向Ｆに進める。
そうすると、編み部２０の第１磁石２１は、ガットＧに押され、ガットＧの下方に移動することで、一旦、操作部３０の第２磁石３１から離れるが、図２（Ｄ）に示すように、編み部２０の第１磁石２１と操作部３０の第２磁石３１とが引き合い、案内用糸Ｓ１がガットＧの下方を通過した後に、操作部３０の第２磁石３１に編み部２０の第１磁石２１が吸着する。
【００２４】
このような図２（Ａ）から同図（Ｄ）に示す操作を繰り返すことで、ガットＧを無理やり上下に移動することなく、縦糸であるガットＧの上方および下方を、交互に、案内用糸Ｓ１を通すことができる。
従って、このラケットのガット張り支援装置１０は、先に張られたメインのガットＧに負担を掛けずにスムーズにクロスの案内用糸Ｓ１を交互に交差させることができる。
【００２５】
また、第１磁石２１は、操作部３０の進行方向Ｆ側の面が円弧面に形成された球状であるため、編み部２０（第１磁石２１）をガットＧに押し当てたときに、第１磁石２１の円弧面に沿ってガットＧが第１磁石２１と第２磁石３１との間に入り込み、第１磁石２１をガットＧに乗り上げさせることができる。従って、第１磁石２１を第２磁石３１からスムーズに引き離すことができ、第１磁石２１をガットＧに乗り越えさせることができる。
このようにして、ガットＧに案内用糸Ｓ１を通すと、案内用糸Ｓ１を引っ張り、案内用糸Ｓ１に繋がる横糸となるガットを、ガットＧ同士の間に案内させることができる。
【００２６】
なお、本実施の形態１では、案内用糸Ｓ１の案内により横糸となるガットを、縦糸となるガットＧに通していたが、横糸となるガットを直接的に編み部２０に接続するようにしてもよい。
しかし、横糸となるガットを編み部２０に直接的に接続し、ガットＧ同士の間に横糸となるガットを通そうとすると、ガットＧと横糸となるガットとが擦れ合い進み難くなり、第１磁石２１から第２磁石３１が剥がれ落ちる可能性がある。
従って、ガットＧより細く形成された案内用糸Ｓ１を、編み部２０と横糸となるガットとの間に介在させることで、案内用糸Ｓ１をガットＧ同士の間にスムーズに通すことができるので、案内用糸Ｓ１に繋がる横糸となるガットを確実に通すことができる。
【００２７】
（実施の形態２）
本発明の実施の形態２に係るラケットのガット張り支援装置を図面に基づいて説明する。なお、図３および図５においては図１と同じ構成のものは同符号を付して説明を省略する。
図３に示すラケットのガット張り支援装置１１は、編み部２０と、操作部４０とを備えている。
【００２８】
操作部４０は、第１磁石２１が吸着する第２磁石３１を有している。この第２磁石３１は、直方体状の筐体３２の底面に配置されている。
この操作部４０の筐体３２には、センサ部４１と、昇降部４２と、制御部４３とを備えている。
【００２９】
センサ部４１は、一方のガット（縦糸）を検知するものである。センサ部４１は、例えば、発光ダイオードと、発光ダイオードの光を検知するフォトトランジスタとが並べられたフォトリフレクタとすることができる。
昇降部４２は、第２磁石３１を、操作部４０内に格納した位置と、操作部４０内から露出させる位置とに進退させるものである。
昇降部４２は、例えば、第２磁石３１が先端に接続されたプランジャー部４２１と、プランジャー部４２１を進退させるソレノイド部４２２とを備えたアクチュエータソレノイドとすることができる。
本実施の形態２では、昇降部４２を、ソレノイド部４２２に通電するとプランジャー部４２１が引き込まれ、非通電状態とするとプランジャー部４２１が突出するスプリングを備えたプル型のアクチュエータソレノイドとしている。
制御部４３は、センサ部４１が、一方のガットを検知したときに、昇降部４２へ、第２磁石３１の進退を交互に指示するものである。
【００３０】
以上のように構成された本発明の実施の形態２に係るラケットのガット張り支援装置１１の動作および使用状態について、図面に基づいて説明する。
まず、実施の形態１と同様に、ラケットには、メインと称される縦糸が張られているものとする。
【００３１】
図４に示すように、制御部４３は、センサ部４１からの信号を監視しており、非検出状態であれば、ステップＳ１０を繰り返す。
図５（Ａ）に示すように、まず、編み部２０に案内用糸Ｓ１が接続され、編み部２０が操作部３０の第２磁石３１に吸着した状態で、操作部３０をガットＧに接近させる。操作部３０がガットＧに接近することで、センサ部４１がガットＧを検知する。
【００３２】
センサ部４１がガットＧを検知したことが制御部４３に通知されると、制御部４３は、昇降部４２に、前回、第２磁石３１の引き込みを指示したか否かを判断する（ステップＳ２０）。
この判断は、制御部４３が、前回、第２磁石３１の引き込みを指示した場合には「はい」となり、昇降部４２への指示が初回である場合や、第２磁石３１が操作部４０内に引き込まれた位置から元の位置に復帰するように、制御部４３が指示した場合には、「いいえ」となる。
【００３３】
図５（Ａ）に示す例では、センサ部４１が検出したガットＧが最初のガットＧであるため、ステップＳ２０の判断は「いいえ」となる。
従って、制御部４３は、プランジャー部４２１をソレノイド部４２２に引き込み、第２磁石３１を操作部４０内に引き込むよう、ソレノイド部４２２に通電することで、昇降部４２に指示する（ステップＳ３０）。
【００３４】
図５（Ｂ）に示すように、ソレノイド部４２２への通電によりプランジャー部４２１が引き込まれることで、プランジャー部４２１の先端に接続された第２磁石３１が操作部４０内に格納した位置へ移動する。
第２磁石３１の移動に伴い、第２磁石３１に吸着した状態の第１磁石２１が、第２磁石３１と一緒に操作部４０内に格納される。
センサ部４１がガットＧを検知してから所定時間経過するまで、制御部４３が昇降部４２に引き込みを指示し続け、この状態のまま操作部４０がガットＧを通過することで、編み部２０（第１磁石２１）に接続された案内用糸Ｓ１がガットＧの上方を通る。
【００３５】
図５（Ｂ）に示すように、センサ部４１が、最初のガットＧを通過して、次のガットＧに至るまで、センサ部４１がガットＧを検出できないことから、制御部４３はステップＳ１０を繰り返す。
更に、操作部４０が進行方向Ｆに向かって進むと、図５（Ｃ）に示すように、センサ部４１が、次のガットＧを検出する。
【００３６】
センサ部４１がガットＧを検知したことが制御部４３に通知されると、制御部４３は、昇降部４２に、前回、第２磁石３１の引き込みを指示したか否かを判断する（ステップＳ２０）。
図５（Ｂ）に示すように、前回は、センサ部４１がガットＧを検出したときに、制御部４３は、第２磁石３１を引き込むように昇降部４２に指示した。
従って、今回は、図５（Ｃ）に示すように、制御部４３は、第２磁石３１が操作部４０内に引き込まれた位置から元に位置に復帰するように、昇降部４２に指示する（ステップＳ４０）。
【００３７】
そうすると、編み部２０の第１磁石２１は、ガットＧに押され、一旦、操作部３０の第２磁石３１から離れるが、図５（Ｄ）に示すように、編み部２０と操作部３０の第２磁石３１とが引き合い、案内用糸Ｓ１がガットＧの下方を通過した後に、操作部３０の第２磁石３１に編み部２０の第１磁石２１が吸着する。
【００３８】
このように、操作部４０を進行方向Ｆに進めるだけで、ガットＧに案内用糸Ｓ１を、自動的に上下交互に通すことができる。
このとき、ガットＧを無理やり上下に移動することなく、案内用糸Ｓ１を通すことができるため、このラケットのガット張り支援装置１１は、先に張られたメインのガットＧに負担を掛けずにスムーズにクロスの案内用糸Ｓ１を交互に交差させることができる。
【００３９】
ガットＧの間に案内用糸Ｓ１を通すことができれば、実施の形態１のときの同様に、案内用糸Ｓ１に繋がる横糸となるガットを引っ張り、縦糸となるガットＧの間に横糸となるガットを通すことができる。
【００４０】
（実施の形態３）
本発明の実施の形態３に係るラケットのガット張り支援装置を図面に基づいて説明する。なお、図６においては図３および図５と同じ構成のものは同符号を付して説明を省略する。
図６（Ａ）から同図（Ｄ）に示すラケットのガット張り支援装置１２は、案内用糸Ｓ２が導電性を有しており、編み部２０に一端側が接続されていると共に、操作部５０の制御部４４に他端側が接続されている。また、制御部４４は、第２磁石３１と配線により接続されている。
従って、第２の磁石３１と第１磁石２１とが吸着した状態では、制御部４４は、第２磁石３１と第１磁石２１と案内用糸Ｓ２とを通して導通した状態を検知することができ、第２磁石３１と第１磁石２１とが離間することで、非導通状態を検知することができる。
【００４１】
案内用糸Ｓ２は、実施の形態１と同様に、横糸となるガットより細く形成されている。案内用糸Ｓ２は、フレームのフェース部分の幅方向の一側から他側まで、操作部５０を進行させたときに、フェース部分の他側に位置する第１磁石２１から、フェース部分の一側の貫通孔であって、ガットを挿通させるフェース部分の貫通孔を通り、操作部５０まで繋がっている必要があるため、案内用糸Ｓ２の長さは、少なくともフェース部分の横幅の２倍より長く形成されている。
【００４２】
制御部４４と接続する案内用糸Ｓ２の他端側には、制御部４４と接続容易とし、横糸となるガットと接続容易とするために、ピンタイプのコネクタが圧着されている。
【００４３】
以上のように構成された本発明の実施の形態３に係るラケットのガット張り支援装置１２の動作および使用状態について、図面に基づいて説明する。
【００４４】
図７に示すように、まず、制御部４４は、センサ部４１からの信号を監視しており、縦糸であるガットＧを検出したか否かを判定する（ステップＳ１１０）。
図６（Ａ）に示すように、まず、編み部２０に案内用糸Ｓ２が接続され、編み部２０が操作部３０の第２磁石３１に吸着した状態で、操作部３０をガットＧに接近させる。操作部３０がガットＧに接近することで、センサ部４１がガットＧを検知する。
【００４５】
センサ部４１がガットＧを検知したことが制御部４４に通知されると、制御部４４は、昇降部４２に、前回、第２磁石３１の引き込みを指示したか否かを判断する（ステップＳ１２０）。
この判断は、制御部４４が、前回、第２磁石３１の引き込みを指示した場合だけでなく、昇降部４２への指示が初回である場合に「はい」となり、その他の場合には、「いいえ」となる。
図６（Ａ）に示す例では、センサ部４１が検出したガットＧが最初のガットＧであるため、ステップＳ１２０の判断は「はい」となり、ステップＳ１１０へ移行する。
【００４６】
操作部５０がこのまま進行することで、図６（Ｂ）に示すように、センサ部４１がガットＧの位置からずれ非検知状態となる。また、編み部２０の第１磁石２１がガットＧに押され、一旦、操作部３０の第２磁石３１から離れる。
従って、制御部４４は、ステップＳ１１０からステップＳ１３０へ移行して、第１磁石２１と第２磁石３１とが離間した状態から再び吸着した状態になったか否かを判定するが、第１磁石２１と第２磁石３１とは離間した状態であるため、「いいえ」となって、ステップＳ１１０へ移行する。
【００４７】
図６（Ｃ）に示すように、更に、操作部５０が進行することで、案内用糸Ｓ２がガットＧの下方を通過してガットＧを乗り越えた後に、編み部２０の第１磁石２１が、操作部３０の第２磁石３１と引き合い、第１磁石２１が第２磁石３１に吸着する。
制御部４４が、ステップＳ１１０からステップＳ１３０へ移行したときに、第１磁石２１と第２磁石３１とが吸着した状態に変化したことにより、ステップＳ１４０にて、プランジャー部４２１をソレノイド部４２２に引き込み、第２磁石３１を操作部４０内に引き込むよう、ソレノイド部４２２に通電することで、昇降部４２に指示してステップＳ１１０へ移行する。
【００４８】
第２磁石３１が操作部４０内に引き込まれた状態で、操作部５０が進行することで、第２磁石３１に吸着した第１磁石２１がガットＧの上方を通過するため、案内用糸Ｓ２をガットＧの上方に通すことができる。
【００４９】
このとき、センサ部４１がガットＧを検知したことが制御部４４に通知されても（ステップＳ１１０）、制御部４４が、前回、昇降部４２に第２磁石３１の引き込みを指示しているため（ステップＳ１２０）、「はい」となり、何もせず、ステップＳ１１０へ移行する。
【００５０】
そして、図６（Ｄ）に示すように、センサ部４１がガットＧを検知したことが制御部４４に通知されると（ステップＳ１１０）、制御部４４は、前回、昇降部４２に対して何もしなかったため「いいえ」と判定する（ステップＳ１２０）。
従って、制御部４４は、第２磁石３１が操作部４０内に引き込まれた位置から元に位置に復帰するように、昇降部４２に指示する（ステップＳ１５０）。
制御部４４から昇降部４２に指示が出力されることで、図６（Ａ）に示す状態に戻る。
【００５１】
このように、操作部５０を進行方向Ｆに進めるだけで、ガットＧに案内用糸Ｓ２を、自動的に上下交互に通すことができる。
このとき、ガットＧを無理やり上下に移動することなく、案内用糸Ｓ２を通すことができるため、このラケットのガット張り支援装置１２は、先に張られたメインのガットＧに負担を掛けずにスムーズにクロスの案内用糸Ｓ２を交互に交差させることができる。
【００５２】
また、昇降部４２の復帰のタイミングはセンサ部４１で検知するものの、昇降部４２による第２磁石３１の引き込みは、離れた第１磁石２１と第２磁石３１とが吸着するタイミングにより行われるため、ガットＧの張られた間隔が不揃いでも、確実に昇降部４２を引き込んだり復帰させたりすることができる。
【産業上の利用可能性】
【００５３】
本発明のラケットのガット張り支援装置は、テニスやバトミントンなどのガット張りに好適である。
【符号の説明】
【００５４】
１０，１１，１２  ラケットのガット張り支援装置
２０  編み部
２１  第１磁石
３０，４０，５０  操作部
３１  第２磁石
３２  筐体
４１  センサ部
４２  昇降部
４２１  プランジャー部
４２２  ソレノイド部
４３，４４  制御部
Ｇ  ガット
Ｓ１，Ｓ２  案内用糸
Ｆ  進行方向
【図１】
2019037524.tif 000003
【図２】
2019037524.tif 000004
【図３】
2019037524.tif 000005
【図４】
2019037524.tif 000006
【図５】
2019037524.tif 000007
【図６】
2019037524.tif 000008
【図７】
2019037524.tif 000009